(57)【要約】【課題】風向調節機能を有さない既存の換気ユニットを、風向調節機能を有する換気ユニットに簡易に変更することができると共に、パーツの変更が容易な換気ユニットシャッターと、その換気ユニットシャッターが取り付けられたシンプルな換気ユニットを提供することを課題とする。【解決手段】この換気ユニットシャッターは、伸縮機構と連結可能な取付部が突設された蓋体と、換気ユニット本体の開口と蓋体との間に生じる給気口の一部を遮断可能とする風向調節板を有する風向調節部材と、を備え、蓋体側係止部と、風向調節部材側係止部とが係合することで、風向調節部材が蓋体に着脱可能に固定されると共に、蓋体と風向き調整部材とは、伸縮機構の進退方向に伸縮する弾性部材を介して固定されている。【選択図】図２
2014126211.tif 000002
【特許請求の範囲】
【請求項１】
建物に設けられた換気用の貫通孔に設置される、換気ユニット本体に備えられた伸縮機構によって開閉可能に取り付けられる換気ユニットシャッターであって、
前記伸縮機構と連結可能な取付部が突設された蓋体と、
前記換気ユニット本体の開口と前記蓋体との間に生じる給気口の一部を遮断可能とする風向調節板を有する風向調節部材と、を備え、
蓋体側係止部と、風向調節部材側係止部とが係合することで、前記風向調節部材が前記蓋体に着脱可能に固定されると共に、前記蓋体と前記風向調節部材とは、前記伸縮機構の進退方向に伸縮する弾性部材を介して固定されている換気ユニットシャッター。
【請求項２】
前記風向調節部材により押圧され弾性変形する前記弾性部材の復元力により、前記蓋体側係止部と前記風向調節部材側係止部とが係合する請求項１に記載の換気ユニットシャッター。
【請求項３】
前記伸縮機構の最短状態から後方に押し込まれた解除状態にて、前記換気ユニットの機構本体が前記風向調節部材と当接し押圧される風向調節部材の可動範囲が弾性部材の縮む範囲より小さい請求項２に記載の換気ユニットシャッター。
【請求項４】
前記風向調節部材の外形より前記弾性部材の外形を大きくし、
前記伸縮機構の最短状態にて、前記換気ユニット本体の開口縁部が前記弾性部材を押圧する請求項１から請求項３のいずれかに記載の換気ユニットシャッター。
【請求項５】
請求項１から請求項４のいずれかに記載の換気ユニットシャッターが取り付けられた換気ユニット。
【発明の詳細な説明】
【技術分野】
【０００１】
本発明は、風向調節が可能な換気ユニットシャッター及び該換気ユニットシャッターを取り付けた換気ユニットに関する。
【背景技術】
【０００２】
平成１５年７月１日に施工された建築基準法の改正に基づき、新築及びリフォームした全ての住宅に換気設備の設置が義務付けられ、室内の壁に換気ユニットが設けられるようになった。
【０００３】
この換気ユニットを設置することで、壁に設けられた換気用の貫通孔から流入する外気に混入している粉塵等により、換気ユニットの給気口近傍の壁や家具が汚れるという問題が生じることとなった。また、特に冬場の冷気が流入する時期は、部屋のレイアウトによっては、その冷気が直接居住者に当るという問題も生じていた。
【０００４】
そこで、上記問題点を解決するために、換気ユニットにおける給気口の所望の箇所を防ぐことが可能な換気口カバーが開発されている（例えば、特許文献１）。
【０００５】
この換気口カバーは、風量調節板に機構本体に向かって後側に突出し、ベース本体の開口と風量調節板との間に生じる給気口の所定の一部を遮断するように位置変更を可能とした風向きコントローラーを備えており、所望の方向からの吹き出しを防ぐことができ、換気ユニットの設置個所に関わらず家具や壁面の汚れを防止することができると共に、居住者の身体に直接外気が触れることを防止することができるとされる。
【先行技術文献】
【特許文献】
【０００６】
【特許文献１】特開２０１２−１８０９７７号公報
【発明の概要】
【発明が解決しようとする課題】
【０００７】
しかしながら、上述した換気口カバーは、風向きコントローラーが固定された円環状のスライド基板を、表板、中板、後板の３枚の組板の間に挟むことで風量調整板が形成されるており、スライド基板の内周にはピンにはめ込まれた円筒形状のコロの外周面が接するように組み付けることにより、円環状のスライド基板が風量調節板内で回転可能としているため、非常に複雑な構成であると共にパーツ数も多くなっている。
【０００８】
また、上述した換気口カバーは非常に複雑な構成であるため、設置後に異なる幅の風向きコントローラーに取り替えるといったパーツ交換ができず、設置後に給気口を塞ぐ範囲を変更することができなかった。
【０００９】
また、この換気口カバーは、対応する換気ユニット本体のみにしか取り付けることができず、風向調節機能を有さない既存の換気ユニットに風向調節機能を付与しようとすれば、換気ユニットの略全部を交換する必要があり、汎用性のないものであった。
【００１０】
さらに、上述した換気カバーは、風向きコントローラーが回転可能に形成されているものの、風向調節板の四方の角位置に乱流防止板が設けられているため、風向きコントローラーは隣り合う乱流防止板間にしか配置することができず、実質的には固定された４つの角度設定しか出来ないものであった。
【００１１】
しかしながら、換気ユニットは建物の施工時に設置されるものであるが、給気口から流入される外気に起因する不都合を入居後に認識されることがある。
【００１２】
施工時に必要性を感じず、又は、コスト面で風向調節機能を有しない換気ユニットを設置した場合、入居後に風向調節機能を付与するためには、上述したように換気ユニット全体を取り替えるより他になく、大掛かりな取替え工事が必要になる。
【００１３】
また、施工時に風向調節機能を備えた換気ユニットを設置していても、必要に応じて給気口を塞ぐ範囲の変更をすることができなかった。
【００１４】
そこで、本発明は上記課題に鑑みてなされたものであって、その目的とするところは、風向調節機能を有さない既存の換気ユニットを、風向調節機能を有する換気ユニットに簡易に変更することができると共に、パーツの変更が容易な換気ユニットシャッターと、その換気ユニットシャッターが取り付けられたシンプルな換気ユニットを提供する事にある。
【課題を解決するための手段】
【００１５】
前記した目的を達成するために、本発明に係る換気ユニットシャッターは、建物に設けられた換気用の貫通孔に設置される、換気ユニット本体に備えられた伸縮機構によって開閉可能に取り付けられる換気ユニットシャッターであって、前記伸縮機構と連結可能な取付部が突設された蓋体と、前記換気ユニット本体の開口と前記蓋体との間に生じる給気口の一部を遮断可能とする風向調節板を有する風向調節部材と、を備え、蓋体側係止部と、風向調節部材側係止部とが係合することで、前記風向調節部材が前記蓋体に着脱可能に固定されると共に、前記蓋体と前記風向調節部材とは、前記伸縮機構の進退方向に伸縮する弾性部材を介して固定されている。
【００１６】
また、前記風向調節部材により押圧され弾性変形する前記弾性部材の復元力により、前記蓋体側係止部と前記風向調節部材側係止部とが係合することができる。
【００１７】
また、前記伸縮機構の最短状態から後方に押し込まれた解除状態にて、前記換気ユニットの機構本体が前記風向調節部材と当接し押圧される風向調節部材の可動範囲が弾性部材の縮む範囲より小さくすることができる。
【００１８】
また、前記風向調節部材の外形より前記弾性部材の外形を大きくし、前記伸縮機構の最短状態にて、前記換気ユニット本体の開口縁部が前記弾性部材を押圧することができる。
【００１９】
本発明の換気ユニットは、上述したいずれかの換気ユニットシャッターが取り付けられたものである。
【発明の効果】
【００２０】
このように、本発明に係る換気ユニットシャッターによれば、風向調節機能を有さない既存の換気ユニットを、風向調節機能を有する換気ユニットに簡易に変更することができると共に、パーツの変更が容易になる。
【００２１】
さらに、本発明に係る換気ユニットシャッターが取り付けられた換気ユニットはパーツ数が少ないのでシンプルなものとなる。
【図面の簡単な説明】
【００２２】
【図１】本発明の一実施形態に係る換気ユニットシャッターを換気ユニット本体に取り付けた換気ユニットの分解斜視図である。
【図２】本発明の一実施形態に係る換気ユニットシャッターの斜視図である。
【図３】本発明の一実施形態に係る換気ユニットシャッターの分解斜視図である。
【図４】固定部材の斜視図である。
【図５】風向調節部材の斜視図である。
【図６】本発明の一実施形態に係る換気ユニットシャッターの正面図である。
【図７】本発明の一実施形態に係る換気ユニットシャッターを換気ユニット本体に取り付けた状態において、伸縮機構が最長状態の断面図である。
【図８】本発明の一実施形態に係る換気ユニットシャッターを喚起ユニット本体に取り付けた状態において、伸縮機構が最短状態の断面図である。
【図９】本発明の一実施形態に係る換気ユニットシャッターを喚起ユニット本体に取り付けた状態において、伸縮機構が最短状態からさらに遊び分押し込まれた解除状態の断面図である。
【図１０】本発明の一実施形態に係る換気ユニットの使用状態を示す説明図である。
【発明を実施するための形態】
【００２３】
以下、本発明に係る実施形態を図面に従って説明するが、本発明はこの実施形態に限定されるものではない。建物に設けられた貫通孔８２に換気ユニット本体Ｈを嵌入し、本発明の換気ユニットシャッターＳ（以下、「シャッター」という。）を取り付けた状態において、室内側に露出するシャッターＳ側を前側とし、換気ユニット本体Ｈが嵌入された建物側を後側とする。なお、従来技術と同様の構成等については詳細な説明を省略する。
【００２４】
本発明の一実施形態に係るシャッターＳは、建物に設けられた貫通孔８２に嵌合される換気ユニット本体Ｈに取り付けることで、換気ユニット本体Ｈの開口とシャッターＳとの間に生じる給気口８０の適宜の一部を、シャッターＳに設けられた風向調節板４２によって遮断するものである。
【００２５】
図１は、本発明の一実施形態に係るシャッターＳを換気ユニット本体Ｈに取り付けた換気ユニットの分解斜視図である。
【００２６】
本実施形態のシャッターＳが取り付けられる換気ユニット本体Ｈは、換気ユニット本体Ｈに備えられた伸縮機構７によってシャッターＳが開閉する構成のものであればどのようなものでも構わない。
【００２７】
換気ユニット本体Ｈは、例えば、図１に示すように外枠体５と、外枠体５の内側に着脱可能に挿入される機構本体６から構成される。この換気ユニット本体Ｈの構成部材は、パッキン４４及びフィルター６５を除き、例えば合成樹脂等で形成される。
【００２８】
外枠体５は、建物に設けられる貫通孔８２に設置されるものである。外枠体５は、図１に示すように、建物に設けられた貫通孔８２に嵌入される外筒部５１と、外枠体５の内部に挿入した機構本体６の開口端部に設けられた係合手段６１と係合される係合部５２と、シャッターＳが嵌合する嵌合凹部５３と、室内側に露出する鍔部５４とを備えている。
【００２９】
外筒部５１は、略円筒状に形成されており、当該軸方向に貫通孔を有することで、両端が開口している。外筒部５１の前方端部に、シャッターＳが嵌合可能な矩形の嵌合部５５が形成されている。嵌合部５５は、外筒部５１の前方端部近傍に延設された、環状の係合部５２と、その係合部５２からさらに延設された嵌合凹部５３を有し、その嵌合凹部５３の端縁から鍔部５４が形成されている。なお、嵌合部５５は円形状、多角形状等適宜変更することができる。
【００３０】
機構本体６は、シャッターＳを開閉させる伸縮機構７を支持すると共に、フィルター６５が取り付けられているものである。機構本体６は、図１に示すように、内筒部６２と、伸縮機構７と、伸縮機構７受け部６３と、支持アーム６４と、フィルター６５と、フィルター押さえ具６６と、係合手段６１とを備えている。
【００３１】
内筒部６２は、略中空円筒状に形成されており、内筒部６２の略中央位置の軸方向に伸縮機構７が備えられており、後端側にはフィルター６５を備えている。内筒部６２の前方端部には径方向の外側に向けてフランジ状の開口縁部６８が設けられている。
【００３２】
伸縮機構７は、内筒部６２の内周面の４カ所から内径方向に延出して、内筒部６２内で略十字状に形成された支持アーム６４の略中心に支持された伸縮機構７受け部６３に取り付けられることで、機構本体６の略中央に配置される。伸縮機構７を構成するスライダは合成樹脂等から形成され、係止部材７４及び付勢手段７３は金属等から形成される。
【００３３】
フィルター６５は、支持アーム６４の後側に取り付けられ、支持アーム６４と、フィルター押さえ具６６との間に挟んで保持される。フィルター押さえ具６６は、フィルター押さえ具６６に設けられた係脱手段６７と、内筒部６２の後端側近傍に設けられた係脱手段６７とによって取り外し可能になっている。
【００３４】
伸縮機構７は、２つのスライダ７１、７２が付勢手段７３によって前後方向に進退可能に組み合わされているもので、換気ユニット本体Ｈに取り付けられたシャッターＳが、その伸縮機構７によって開閉可能となるものである。
【００３５】
具体的には、図７から図９に示すように、前後方向にスライド可能に組み合わされる第１スライダ７１と第２スライダ７２と、両スライダ７１、７２を離反する方向に付勢する付勢手段７３を備え、第２スライダ７２には爪部７５を有する係止部材７４を取り付け、第１スライダ７１には前記爪部７５を案内する案内路を設けており、前記案内路は前部から後部を経て再び前部に至るループ状のものである。
【００３６】
この伸縮機構７は、最短状態（シャッターＳ閉状態（図８参照））から後方側に遊び分だけ第１スライダ７１を押し込んだ解除状態（図９参照）にて、押し込む力を弱めると、伸縮機構７が最長状態（図７参照）になり、その最長状態（爪部７５が掛止段７７ｃに係止している状態）で、第２スライダ７２を後方側に押し込んでいくと、爪部７５が掛止段７７ａ、７７ｂに係止することで段階的な停止状態を維持できる（図示しない）。
【００３７】
上述した付勢手段７３はコイルばねであり、第１スライダ７１は、中空四角筒形状に形成され、その前端寄りには上方に突出する摘み部７８が備えられていると共に、摘み部７８の下方には第１スライダ７１の内部に突出する伸縮機構側係合部７９が設けられている。この伸縮機構側係合部７９は、後述するシャッターＳに設けられる取付部１１のシャッター側係合部１４と係合されるものである。摘み部７８は撓み易くなるように形成されており、摘み部７８を前方側に押圧すると伸縮機構側係合部７９が上方側に移動する。
【００３８】
伸縮機構７は、上述した構成に限られるものではなく、最短状態（シャッターＳ閉状態）から後方側に遊び分（押ししろ分）だけスライダを押し込んだ解除状態にて、押し込む力を弱めると、伸縮機構７が最長状態になる、いわゆるプッシュ式の伸縮機構７によって、換気ユニット本体Ｈに取り付けられたシャッターＳが開閉可能となる構成のものが好ましい。
【００３９】
シャッターＳは、換気ユニット本体Ｈに取り付けて、換気ユニット本体Ｈの開口を塞ぐことができると共に、換気ユニット本体Ｈの開口とシャッターＳとの間に生じる給気口８０の適宜の一部を遮断するものである。シャッターＳは、図２及び図３に示すように、蓋体１と、弾性部材２と、固定部材３と、クッション部材３７と、風向調節部材４とを備えている。このシャッターＳの構成部材は、弾性部材２、クッション部材３７を除き、例えば合成樹脂等で形成される。
【００４０】
蓋体１は、換気ユニット本体Ｈの開口を塞ぐものであり、換気ユニット本体Ｈの嵌合凹部５３に対応した形状であることが好ましい。本実施形態に係るシャッターＳの蓋体１は、図１及び図３に示すように、角丸略矩形の板体に形成されており、蓋体１の略中央に、後方側に向けて取付部１１が突設されている。
【００４１】
取付部１１は、換気ユニット本体Ｈに備えられた伸縮機構７と連結するものである。
取付部１１は、シャッターＳを取り付けたい換気ユニット本体Ｈに備えられた伸縮機構７に対応した形状を有しており、伸縮機構７が備えられた位置に対応する蓋体１の適宜の位置に突設される。本実施形態における取付部１１は、蓋体１の略中央部に形成された略Ｕ字状の枠部１２から後方に向けて軸体１３が突設され、軸体１３には伸縮機構側係合部７９と係合するシャッター側係合部１４が設けられている。
【００４２】
具体的には、取付部１１の軸体１３の上部に凹状のシャッター側係合部１４が設けられており、中空四角筒形状の第１スライダ７１に取付部１１を差し込んだ状態において、第１スライダ７１の内部に突出する伸縮機構側係合部７９が凹状のシャッター側係合部１４に係合することによりシャッターＳが伸縮機構７に固定される。そして、そのシャッターＳが伸縮機構７に固定された状態で、伸縮機構７の第１スライダ７１の摘み部７８を前方側に押圧し、伸縮機構側係合部７９を上方に移動させることによって、シャッター側係合部１４との係合状態を解除して、シャッターＳを伸縮機構７から取り外すことができる。
【００４３】
シャッターＳは取付部１１を介して、直接伸縮機構７に取り付ける構成とすることもできるし、例えば、アダプタ等を介して取り付ける構成とすることもできる。アダプタ等を介して取り付ける場合、取付部１１の形状はそのアダプタ等に対応した形状となる。
【００４４】
固定部材３は、風向調節部材４を蓋体１に着脱可能に固定するための蓋体側係止部３８を備えるものであり蓋体１に固定されている。この蓋体側係止部３８は、後述する風向調節部材側係止部４３と係合されることで、風向調節部材４を蓋体１に着脱可能に固定するものである。
【００４５】
具体的には、固定部材３は図３及び図４に示すように略有底円筒形状であって、筒部３１と、前壁３２とから構成される。
【００４６】
筒部３１の外壁面に蓋体側係止部３８が設けられている。本実施形態の蓋体側係止部３８は、筒部３１の開口側から前壁３２側の軸方向に向けて平行する二つの矩形状の切欠き部３３を設けることで、係止片３４を形成すると共に、その係止片３４の外壁面側の肉厚を薄くして係止片３４を撓み易くし、係止片３４の開口側の外周面に外径方向に向けて突起３５を設けている。この突起３５と後述する風向調節部材４の風向調節部材側係止部４３とが係合することにより、風向調節部材４が蓋体１に着脱可能に固定される。蓋体側係止部３８は、固定部材３の筒部３１に等間隔で４カ所設けられている。
【００４７】
なお、本実施形態は、蓋体１に固定される固定部材３に蓋体側係止部３８を備えた構成としているが、例えば、蓋体１から蓋体側係止部３８を突設させる等、固定部材３を設けず、蓋体１に直接蓋体側係止部３８を備える構成とすることもできる。また、蓋体側係止部３８は、上記数及び構成に限られるものではない。
【００４８】
また、筒部３１の外壁面には第１固定部３９を設けることができる。第１固定部３９は、後述する風向き調整部材の第２固定部４５と係合することで、蓋体１に固定された風向調節部材４が回転することを防止するものである。
【００４９】
第１固定部３９は、筒部３１の外壁面の一端側から他端側に向けて軸方向に設けられた凸状のリブである。具体的には、第１固定部３９は、固定部材３の筒部３１に等間隔で４カ所に設けられた第１係止部間の中間位置のいずれかにリブを設けると共に、その対向する位置にもリブを設けている。第１固定部３９は、蓋体１に固定された風向調節部材４が回転することを防止出来ればよく、上記数、形状、構成に限られるものではない。
【００５０】
固定部材３の前壁３２の略中央には、取付部１１が貫通可能な取付部貫通孔３６が設けられている。具体的には、取付部貫通孔３６は、蓋体１の略中央部に形成された略Ｕ字状の枠部１２と共に取付部１１が挿入可能となる角丸略矩形の貫通孔８２である。
【００５１】
固定部材３は、図２に示すように前壁３２の取付部貫通孔３６に取付部１１を貫通させると共に、前壁３２の前面と蓋体１の後面とを接着剤等の適宜の接続部材によって蓋体１に固定される。
【００５２】
また、固定部材３の筒部３１の内側にクッション部材３７を備えて、気密性、遮音性を向上させることができる。具体的には、固定部材３と同様の取付部貫通孔３６を有し、固定部材３の筒部３１の内形と略同一の外形を有するクッション部材３７を筒部３１に沿わせた状態で接着剤等の適宜の接続部材によって固定部材３に固定される。クッション部材３７の材質は、例えば、ニトリルゴム、フッ素ゴム等の合成ゴムや天然ゴム、ウレタン等の樹脂から形成される。
【００５３】
風向調節部材４は、蓋体１に着脱可能に固定され換気ユニット本体Ｈの開口とシャッターＳとの間に生じる給気口８０の所定の一部を遮断する風向調節板４２を備えるものである。風向調節部材４は、基板４１と、基板４１から延設される風向調節板４２とから構成される。
【００５４】
図５に示すように、基板４１は、固定部材３の外形と略同一の中空形状を有する板体である。基板４１の内壁には蓋体側係止部３８と係合される風向調節部材側係止部４３が備えられている。具体的には、基板４１は、固定部材３の外周よりもわずかに長い内径の中空を有するリング部材であり、固定部の外周に沿って嵌合可能となっている。
【００５５】
風向調節部材側係止部４３は、基板４１の内壁から径方向内側に向けて突出する凸形状のものである。この風向調節部材側係止部４３は、基板４１の内壁に複数の凹状の切欠き部３３を設けて、その切欠き部３３と切欠き部３３との間に形成される凸状部分を風向調節部材側係止部４３としている。この凸形状の風向調節部材側係止部４３と、蓋体側係止部３８の突起３５が係合することで、風向調節部材４が固定部材３を介して蓋体１に着脱可能に固定される。
【００５６】
また、風向調節部材４には、第１固定部３９と係合する第２固定部４５を設けて、蓋体１に固定された風向き調整部材が回転することを防止することができる。
【００５７】
第２固定部４５は、基板４１の内壁に第１固定部３９のリブが嵌合可能に形成された凹部である。上述した基板４１の内壁に設けられる凹状の切欠き部を、第１固定部３９のリブが嵌合可能な形状とすることで、凹状の切欠き部を第２固定部４５とすることができる。
【００５８】
風向調節板４２は、図５に示すように基板４１の周縁の一部から換気ユニット本体Ｈ側に向けて延設されており、その形状は断面円弧形状で、機構本体６の内筒部６２の内周面に沿う形状となっている。
【００５９】
図５及び図６に示す風向調節板４２の幅は、基板４１の中心と、風向調節板４２の基板４１の円周上における両端部とのなす角度（以下、風向調節板幅角度θという。）を９０°としているが、塞ぎたい給気口８０の範囲に応じて、風向調節板幅角度θを、例えば、５０°〜２００°の適宜の角度にすることによって、風向調節板４２の幅を適宜の長さにすることができる。
【００６０】
風向調節板４２の前後方向の長さは、シャッターＳを換気ユニット本体Ｈの伸縮機構７に取り付けた状態において、伸縮機構７が最長時に、シャッターＳから機構本体６の内筒部６２内に至る長さに形成されると共に、シャッターＳを換気ユニットに取り付けられた伸縮機構７によって開閉可能な長さであればよい。
【００６１】
また、風向調節板４２の機構本体側に位置する端部近傍縁に、適宜のパッキン４４を設けて、機構本体６と風向調節板４２との間隙を塞ぎ、隙間から外気が流入することを防ぐこともできる。
【００６２】
蓋体１と風向調節部材４とは、図２及び図６に示すように、伸縮機構７の進退方向に伸縮する弾性部材２を介して固定される。具体的には、風向調節部材４により押圧され弾性変形する弾性部材２の復元力により、蓋体側係止部３８と風向調節部材側係止部４３とが係合して固定される。
【００６３】
弾性部材２は、固定部材３の外形と略同一の中空形状を有するリング形状に形成され、固定部材３の外形に沿って嵌合されると共に、基板４１に当接可能な形状となっている。弾性部材２は蓋体１の後面に接着剤等の適宜の接続部材によって固定される。
【００６４】
弾性部材２は、弾性性能のある材料で形成されている。弾性部材２は伸縮機構７の進退方向に伸縮可能な部材であればよく、例えば、ニトリルゴム、フッ素ゴム等の合成ゴムや天然ゴム、ウレタン等の樹脂、バネ等でもよい。
【００６５】
図６は、蓋体１に弾性部材２を介して風向調節部材４を固定したシャッターＳを後側から見た状態の正面図である。このシャッターＳは、風向調節板４２角度θが９０°の風向調節部材４を、正面視略１３５°〜２２５°の位置に風向調節板４２が位置するように固定されたものである。
【００６６】
図６の風向調節部材４の基板４１の内壁には、等間隔で３６個の凹状の第２固定部４５を設けて、第１固定部３９と係合させる構成としているため、風向調節部材４を１０°毎の任意の角度で取り付けることができる。つまり、基板４１の内周壁に多数の凹状の切欠き部を等間隔に設けて第２固定部４５を多数設けることとすれば、第１固定部３９と係合する箇所が増え、風向調節板４２の配置角度を細かく調整できる。なお、風向調節部材４を５°毎または１５°毎等の任意の角度で取り付けることができるように構成することもできる。
【００６７】
また、図６に示すように、例えば、第１固定部３９を正面視０°の位置に配置させておけば、第１固定部３９が風向調節部材４を取り付ける際の取り付け角度の目安となる案内役にもなる。
【００６８】
また、蓋体１と風向調節部材４とが弾性部材２を介して固定されていることで、風向調節部材４を蓋体１に容易に着脱することができる。特に、風向調節部材４を蓋体１から取り外す際、弾性部材２と風向調節部材４の基板４１との間に、例えば人差し指を入れると共に、親指で蓋体側掛止部３８を撓ませ、風向調節部材側係止部４３との係合を解除した状態で、親指側に風向調節部材４を引き寄せれば容易に蓋体１から風向調節部材４を取り外すことができる。
【００６９】
そして、本実施形態におけるシャッターＳは、上述したように風向調節部材４を蓋体１に容易に着脱できるので、風向調節板４２の幅が異なる風向調節部材４を別パーツとして準備しておけば、容易に塞ぎたい給気口８０の範囲を変更することができる。例えば、使用頻度が高いと想定される、風向調節板４２角度が９０°、１２０°、１８０°の風向調節板４２を備える風向調節部材４を予めパーツとして製造しておくとよい。
【００７０】
以下に、換気ユニット本体Ｈに備えられた伸縮機構７に本実施形態に係るシャッターＳを取り付けた状態について図７から図９を参照しながら説明する。
【００７１】
図７は、伸縮機構７が最長状態（換気ユニット本体Ｈの開口とシャッターＳとの間隔が最も広い状態）を示すものである。換気ユニット本体Ｈの開口とシャッターＳとの間に生じる給気口８０の一部を、シャッターＳに取り付けられた風向調節部材４の風向調節板４２によって遮断している。このことにより、給気口８０の一部、つまり、給気口８０の風向調節板４２が位置する部分からの外気の流入を防ぐことができる。
【００７２】
図１０は、図７の換気ユニットを建物の壁８１に取り付けた場合の使用状態を示す説明図であり、風向調節板４２が位置する下方への外気の流入が防止されている。
【００７３】
また、本実施形態に係るシャッターＳは、上述したように風向調節部材４を適宜の角度で取り付けることができるため、塞ぎたい給気口８０の適宜の位置に容易に風向調節板４２を位置させることができると共に、適宜の幅の風向調節板４２を備える風向調節部材４に変更して塞ぎたい給気口８０の範囲を変更することもできる。
【００７４】
さらに、伸縮機構７が段階的な停止状態を維持できる構成のものであれば、その張り出しの程度に応じて換気ユニット本体Ｈの開口とシャッターＳとの間隔を狭くしたり広くしたりすることで給気量を調節できる。
【００７５】
図８は、伸縮機構７が最短状態、つまり、シャッターＳが換気ユニット本体Ｈの嵌合凹部５３に嵌合した閉状態を示すものである。この状態においては、シャッターＳが換気ユニット本体Ｈの開口を塞ぎ給気がなされない。
【００７６】
また、シャッターＳに設けられた弾性部材２の外形を風向調節部材４の外形よりも大きくして、伸縮機構７が最短状態にて、図８に示すように換気ユニット本体Ｈの開口縁部６８が弾性部材２を押圧することとすれば、最短状態からさらに後方に押し込んで解除状態にするための遊びを形成すると共に、シャッターＳが閉状態における気密性が向上する。
【００７７】
図９は、伸縮機構７が最短状態から後方側に遊び分だけ押し込まれた解除状態を示すものである。そして、この押し込まれた状態にて、押し込む力を弱めると、図７に示す伸縮機構７が最長状態に戻りシャッターＳが開状態となる。
【００７８】
この解除状態において、シャッターＳを取り付けた換気ユニット本体Ｈの構造によっては、図９に示すように換気ユニットの機構本体６内部（図９に示す機構においては支持アーム６４）と風向調節部材４（図９に示す風向調節部材４においては風向調節板４２）とが当接する。このとき、風向調節部材４は、伸縮機構７の進退方向に伸縮する弾性部材２を介して蓋体１に固定されているため、機構本体６に押圧された分、風向調節部材４が弾性部材２を縮ませて前方側（蓋体側）に可動するため適切な解除状態となり最長状態に戻ることが可能となる。
【００７９】
つまり、伸縮機構７の最短状態から後方に押し込まれた解除状態にて、換気ユニットの機構本体６が風向調節部材４と当接し押圧される風向調節部材４の可動範囲が弾性部材２の縮む範囲より小さくなるように構成されたシャッターＳであれば、いわゆるプッシュ式伸縮機構７によって開閉される換気ユニット本体Ｈに、適切に取り付けることが可能となる。
【００８０】
通常、既存の風向調節機能を有さない換気ユニットに、風向調節機能を有するシャッターＳを取り付けようとすれば、機構本体６と風向調節板４２などが干渉しないように細い設計が求められるが、本実施形態におけるシャッターＳによれば、風向調節機能を有さない既存の換気ユニットを、風向調節機能を有する換気ユニットに簡易に変更することができる。
【００８１】
なお、本実施形態のシャッターＳは、弾性部材２の外形を風向調節部材４の外形よりも大きくして、伸縮機構７が最短状態にて、換気ユニット本体Ｈの開口縁部６８が弾性部材２を押圧できるように構成することで、最短状態からさらに後方に押し込めるようにしているが、例えば、開口縁部６８側に弾性する部材を設けて最短状態から解除状態まで押し込む構成とすることもできる。
【００８２】
また、本実施形態に係るシャッターＳを取り付けた換気ユニットは、給気口８０の適宜の一部を塞ぐことができ、また、適宜の幅の風向調節板４２を備えた風向調節部材４を容易に変更できると共に、パーツ数が少なくシンプルなものとなる。
【００８３】
当該発明は、上述の実施形態の構成に限定されるものではなく、形状、寸法、材料等を適宜変更して実施することが可能である。例えば、風向調節部材４の基板４１を細長い略矩形の板体とし、その一端側の端部近傍に風向調節板４２を備えると共に、他端側には取付部１１と係合可能な係合部５２分を設ける構成とすることもできるし、第１固定部３９を凹状とし、第２固定部４５を凸状にして係合する構成とすること等もできる。
【００８４】
また、弾性部材２は上述した形状に限られず、蓋体１と風向調節部材４の基板４１との間の少なくとも一部に設けることで、風向調節部材４により押圧され弾性変形する弾性部材２の復元力により、蓋体側係止部３８と風向調節部材側係止部４３とが係合して固定され、また、伸縮機構７の解除状態にて、換気ユニットの機構本体６が風向調節部材４と当接し押圧される可動範囲よりも弾性部材２の縮む範囲が大きければよい。
【符号の説明】
【００８５】
Ｕ    換気ユニット
Ｓ    換気ユニットシャッター
Ｈ    換気ユニット本体
１    蓋体
１１  取付部
２    弾性部材
３８  蓋体側係止部
４    風向調節部材
４２  風向調節板
６８  開口縁部
７    伸縮機構
８０  給気口
８２  貫通孔
【図１】
2014126211.tif 000003
【図２】
2014126211.tif 000004
【図３】
2014126211.tif 000005
【図４】
2014126211.tif 000006
【図５】
2014126211.tif 000007
【図６】
2014126211.tif 000008
【図７】
2014126211.tif 000009
【図８】
2014126211.tif 000010
【図９】
2014126211.tif 000011
【図１０】
2014126211.tif 000012
【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
建物に設けられた換気用の貫通孔に設置される、換気ユニット本体に備えられた伸縮機構によって開閉可能に取り付けられる換気ユニットシャッターであって、
前記伸縮機構と連結可能な取付部が突設された蓋体と、
前記換気ユニット本体の開口と前記蓋体との間に生じる給気口の一部を遮断可能とする風向調節板を有する風向調節部材と、を備え、
蓋体側係止部と、風向調節部材側係止部とが係合することで、前記風向調節部材が前記蓋体に着脱可能に固定されると共に、前記蓋体と前記風向調節部材とは、前記伸縮機構の進退方向に伸縮する弾性部材を介して固定されており、
前記風向調節部材の外形より前記弾性部材の外形を大きくし、
前記伸縮機構の最短状態にて、前記換気ユニット本体の開口縁部が前記弾性部材を押圧する換気ユニットシャッター。
【請求項２】
建物に設けられた換気用の貫通孔に設置される、換気ユニット本体に備えられた伸縮機構によって開閉可能に取り付けられる換気ユニットシャッターであって、
前記伸縮機構と連結可能な取付部が突設された蓋体と、
前記換気ユニット本体の開口と前記蓋体との間に生じる給気口の一部を遮断可能とする風向調節板を有する風向調節部材と、を備え、
蓋体側係止部と、風向調節部材側係止部とが係合することで、前記風向調節部材が前記蓋体に着脱可能に固定されると共に、前記蓋体と前記風向調節部材とは、前記伸縮機構の進退方向に伸縮する弾性部材を介して固定されており、
前記風向調節部材により押圧され弾性変形する前記弾性部材の復元力により、前記蓋体側係止部と前記風向調節部材側係止部とが係合しており、
前記伸縮機構の最短状態から後方に押し込まれた解除状態にて、前記換気ユニットの機構本体が前記風向調節部材と当接し押圧される風向調節部材の可動範囲が弾性部材の縮む範囲より小さい換気ユニットシャッター。
【請求項３】
前記風向調節部材により押圧され弾性変形する前記弾性部材の復元力により、前記蓋体側係止部と前記風向調節部材側係止部とが係合する請求項１に記載の換気ユニットシャッター。
【請求項４】
前記風向調節部材の外形より前記弾性部材の外形を大きくし、
前記伸縮機構の最短状態にて、前記換気ユニット本体の開口縁部が前記弾性部材を押圧する請求項２に記載の換気ユニットシャッター。
【請求項５】
請求項１から請求項４のいずれかに記載の換気ユニットシャッターが取り付けられた換気ユニット。